(57)【要約】【課題】衣類に付着した食物のシミや黄ばみなどの汚れをより効果的に落とすことができる粉末洗浄剤組成物を提供すること。【解決手段】（ａ）陰イオン界面活性剤を１０質量％以上、４５質量％以下、（ｂ）非イオン界面活性剤を０質量％以上、９質量％以下、（ｃ）炭酸アルカリ金属塩を１０質量％以上、３０質量％以下、（ｄ）炭酸水素アルカリ塩を１０質量％以上、４０質量％以下、（ｅ）過炭酸塩を０．１質量％以上、１０質量％以下、及び（ｆ）下記一般式（１）で表される漂白活性化剤を０．１質量％、３質量％以下含有する粉末洗浄剤組成物であって、（ｂ）／（ａ）の質量比が０／１以上、１／３以下であり、〔（ｃ）＋（ｅ）〕／（ｄ）の質量比が１／２以上、２／１以下であり、０．０１質量％氷酢酸水溶液を用いて調製した上記組成物の０．５質量％溶液の２５℃におけるｐＨが９以上、１０．４以下である粉末洗浄剤組成物。【選択図】なし【特許請求の範囲】
【請求項１】
（ａ）陰イオン界面活性剤を１０質量％以上、４５質量％以下、
（ｂ）非イオン界面活性剤を０質量％以上、９質量％以下、
（ｃ）炭酸アルカリ金属塩を１０質量％以上、３０質量％以下、
（ｄ）炭酸水素アルカリ塩を１０質量％以上、４０質量％以下、
（ｅ）過炭酸塩を０．１質量％以上、１０質量％以下、及び
（ｆ）下記一般式（１）で表される漂白活性化剤を０．１質量％、３質量％以下含有する粉末洗浄剤組成物であって、
（ｂ）／（ａ）の質量比が０／１以上、１／３以下であり、
〔（ｃ）＋（ｅ）〕／（ｄ）の質量比が１／２以上、２／１以下であり、
０．０１質量％氷酢酸水溶液を用いて調製した上記組成物の０．５質量％溶液の２５℃におけるｐＨが９以上、１０．４以下である粉末洗浄剤組成物。
【化１】
2013213185.tif 000010
（式中、ＲはＨ、炭素数１〜１７を有するアルキル基またはアルケニル基、アリール基、芳香族複素環基、２以上のアネレーテッドベンゼノイド環からなるポリアリーレン基および２以上のアリールまたはアリーレン置換基が共有結合されている基からなる群から選択され、そしてＬは脱離基であり、そしてＬ上に生成される陰イオンの共役酸は４〜１３の範囲内のｐＫａを有する。）
【請求項２】
（ｃ）／（ｄ）の質量比が１／３以上、２／１以下である、請求項１記載の粉末洗浄剤組成物。
【請求項３】
（ａ）成分が、アルキル鎖の炭素数が１０〜１８の直鎖アルキルベンゼンスルホン酸塩及びアルキル鎖の炭素数が１０〜１８の高級アルコールの硫酸エステル塩からなる群より選択される１種以上の成分である、請求項１又は２記載の粉末洗浄剤組成物。
【請求項４】
（ｂ）成分が、炭素数が１０〜１６のアルコールにエチレンオキシドを平均１〜２５モル付加した化合物である、請求項１〜３の何れか１項記載の粉末洗浄剤組成物。
【請求項５】
（ｆ）成分が、下記一般式（２）で表される漂白活性化剤である、請求項１〜４の何れか１項記載の粉末洗浄剤組成物。
【化２】
2013213185.tif 000011
〔式中、Ｒは７〜１５のアルキル基を示し、Ｙは−ＳＯ3Ｍ又は−ＣＯＯＭ（ここで、Ｍは水素原子又はアルカリ金属原子を示す）を示す。〕
【請求項６】
（ｂ）／（ａ）の質量比が０／１以上、１／５以下である、請求項１〜５の何れか１項記載の粉末洗浄剤組成物。
【請求項７】
〔（ｃ）＋（ｅ）〕／（ｄ）の質量比が１／１．５以上、１．５／１以下である、請求項１〜６の何れか１項記載の粉末洗浄剤組成物。
【請求項８】
更に、（ｇ）リン酸塩ビルダーを０質量％以上、５質量％以下を含有する、請求項１〜７の何れか１項記載の粉末洗浄剤組成物。
【発明の詳細な説明】
【技術分野】
【０００１】
本発明は、高い漂白性能を有する粉末洗浄剤組成物に関する。
【背景技術】
【０００２】
漂白剤は塩素系漂白剤と酸素系漂白剤に分けられるが、塩素系漂白剤は使用できる繊維に制限があり、色・柄物には使用できず、また特有の臭いを有していることから、これらの欠点のない酸素系漂白剤が最近著しく普及している。この酸素系漂白剤のうち、過炭酸ナトリウムや過硼酸ナトリウムが粉末酸素系漂白剤として使用されているが、塩素系漂白剤に比べ漂白力が低いため、それを補うための技術の一つとして、漂白活性化剤を配合した漂白剤（特許文献１）が知られている。また、洗剤の洗浄と漂白性能を高める観点から、漂白活性化剤を配合した粉状洗剤も知られている（特許文献２）。
【０００３】
また、特表平１０−５１２６０１号公報（特許文献３）には、アニオン活性剤、ラクタムのような特定の構造を持つ漂白活性化剤、炭酸塩、炭酸水素塩を含有する組成物が開示されているが、炭酸塩、炭酸水素塩の濃度が低く、ラクタムのような特定の構造を持つ漂白活性化剤の高い性能を発現させる事は出来るが、下記一般式（１）で表されるような漂白活性化剤の充分な性能が発現しない。また、特許文献３の技術に限らず、これまでのいずれの技術においても、炭酸塩、炭酸水素塩の配合量、ｐＨが一般式（１）で表されるような漂白活性化剤の性能発現に与える影響について考慮し、性能を発現させたものは存在しなかった。
【先行技術文献】
【特許文献】
【０００４】
【特許文献１】特開平１０−２４５５９３号公報
【特許文献２】特開平８−２１０９４号公報
【特許文献３】特表平１０−５１２６０１号公報
【発明の概要】
【発明が解決しようとする課題】
【０００５】
本発明の課題は、衣類に付着した食物のシミや黄ばみなどの汚れをより効果的に落とすことができる粉末洗浄剤組成物を提供することにある。
【課題を解決するための手段】
【０００６】
本発明者らが検討を重ねた結果、陰イオン界面活性剤、炭酸アルカリ金属塩、過炭酸塩、及び漂白活性化剤を含有する系において、粉末洗浄剤組成物を構成する多種多様の成分の中から炭酸水素塩の量に着目したところ、炭酸アルカリ金属塩及び過炭酸塩と炭酸水素アルカリ金属塩が特定の質量比を満たし、且つｐＨをコントロールする事で、炭酸アルカリ金属塩の高い皮脂洗浄性能、過酸の生成量を担保したまま、過酸の解離状態を変化させる事で高い漂白性能が発揮されることを見出し、本発明を完成させた。
【０００７】
即ち、本発明の要旨は、
（ａ）陰イオン界面活性剤を１０質量％以上、４５質量％以下、
（ｂ）非イオン界面活性剤を０質量％以上、９質量％以下、
（ｃ）炭酸アルカリ金属塩を１０質量％以上、３０質量％以下、
（ｄ）炭酸水素アルカリ塩を１０質量％以上、４０質量％以下、
（ｅ）過炭酸塩を０．１質量％以上、１０質量％以下、及び
（ｆ）下記一般式（１）で表される漂白活性化剤を０．１質量％、３質量％以下含有する粉末洗浄剤組成物であって、
（ｂ）／（ａ）の質量比が０／１以上、１／３以下であり、
〔（ｃ）＋（ｅ）〕／（ｄ）の質量比が１／２以上、２／１以下であり、
０．０１質量％氷酢酸水溶液を用いて調製した上記組成物の０．５質量％溶液の２５℃におけるｐＨが９以上、１０．４以下である粉末洗浄剤組成物。
【０００８】
【化１】
2013213185.tif 000002
【０００９】
（式中、ＲはＨ、炭素数１〜１７を有するアルキル基またはアルケニル基、アリール基、芳香族複素環基、２以上のアネレーテッドベンゼノイド環からなるポリアリーレン基および２以上のアリールまたはアリーレン置換基が共有結合されている基からなる群から選択され、そしてＬは脱離基であり、そしてＬ上に生成される陰イオンの共役酸は４〜１３の範囲内のｐＫａを有する。）に関するものである。
【発明の効果】
【００１０】
本発明の粉末洗浄剤組成物は、炭酸アルカリ金属塩、炭酸水素アルカリ金属塩、過炭酸塩を特定比で含有させ、且つｐＨをコントロールする事により、漂白活性化剤の効果が著しく向上する事で、衣類に付着した食物のシミや黄ばみなどの汚れに対して非常に高い漂白性能を発現することができる。
【発明を実施するための形態】
【００１１】
（ａ）成分
（ａ）成分の陰イオン界面活性剤としては、特に限定されるものではないが、例えば、高級アルコールの硫酸エステル塩、高級アルコールのエトキシル化物の硫酸エステル塩、アルキルベンゼンスルホン酸塩、パラフィンスルホン酸塩、α−オレフィンスルホン酸塩、α−スルホ脂肪酸塩若しくはそのエステル塩、又は脂肪酸塩が挙げられる。
【００１２】
洗浄性能を向上させる観点から、特に、アルキル鎖の炭素数が１０〜１８（好ましくは１２〜１４）の直鎖アルキルベンゼンスルホン酸塩、アルキル鎖の炭素数が１０〜１８（好ましくは１２〜１６）の高級アルコールの硫酸エステル塩、又はアルキル鎖の炭素数が１０〜２０のα−スルホ脂肪酸アルキルエステル塩が好ましく、特に、アルキル鎖の炭素数が１０〜１８（好ましくは１２〜１４）の直鎖アルキルベンゼンスルホン酸塩、アルキル鎖の炭素数が１０〜１８（好ましくは１２〜１６）の高級アルコールの硫酸エステル塩が好ましい。また、対イオンとしては、アルカリ金属、アルカリ土類金属、アンモニア、アルカノールアミン等が挙げられるが、アルカリ金属が好ましい。
【００１３】
陰イオン界面活性剤は、酵素性能発現の観点から、粉末洗浄剤組成物中に１０質量％以上含有され、好ましくは１５質量％以上含有され、より好ましくは２０質量％以上、より好ましくは２５質量％以上含有される。また、陰イオン界面活性剤は、漂白活性化剤の効果向上と、製造適性を両立させる観点から、粉末洗浄剤組成物中に１０〜４５質量％含有され、好ましくは１５〜４０質量％含有され、より好ましくは２０〜４０質量％含有され、さらに好ましくは２５〜４０質量％含有される。（ａ）成分としては、１種類の成分を用いてもよく、複数の成分を併用しても良い。
【００１４】
（ｂ）成分
本発明の粉末洗浄剤組成物は、過酸生成による漂白性能を維持する観点と皮脂洗浄性能向上の観点から、非イオン界面活性剤（ｂ）を一定の範囲で含有する。しかし、非イオン界面活性剤の含有量は、特に過酸生成による漂白性能を発現させる観点と酵素性能発現を維持する観点から、洗浄剤組成物の粉末洗浄剤組成物中に０質量％以上、９質量％以下、好ましくは７質量％以下、より好ましくは５質量％以下、より好ましくは３質量％以下、より好ましくは１質量％以下、さらに好ましくは０質量％、即ち、含有しなくても良い。
【００１５】
非イオン界面活性剤としては、特に限定されるものではないが、例えば、高級アルコールのエチレンオキシド（以下「ＥＯ」という）付加物、若しくはＥＯ／プロピレンオキシド（以下「ＰＯ」という）付加物等が挙げられる。特に炭素数が１０〜１６、好ましくは１２〜１４のアルコールにＥＯを平均１〜２５モル、好ましくは１０〜２０モル付加した化合物が皮脂汚れの除去、耐硬水性、生分解性の点、及び直鎖アルキルベンゼンスルホン酸塩との相性の点で好ましい。
【００１６】
ここで、（ｂ）／（ａ）の質量比は０／１以上、１／３以下である。過酸生成向上による漂白性能発現と高い皮脂洗浄力を両立させる観点から、好ましくは１／５以下、より好ましくは１／６．７以下、より好ましくは１／１０以下である。また、（ｂ）／（ａ）の質量比は、特に過酸生成による漂白性能を発現させる観点と酵素性能発現を維持する観点から、好ましくは０／１以上、１／５以下、より好ましくは０／１以上、１／６．７以下、より好ましくは０／１以上、１／１０以下である。皮脂洗浄性能向上の観点からは（ｂ）成分が粉末洗浄剤組成物中に含まれていることが好ましいが、非イオン活性剤の含有比率が高くなると、活性剤ミセル中に漂白活性化剤が取り込まれて有機過酸が生成しにくくなり、漂白性能が低下する傾向があることから、（ｂ）／（ａ）の質量比の上限値としては１／３とすることが好ましい。
【００１７】
（ｃ）成分
炭酸アルカリ金属塩（ｃ）としては、特に限定されるものではないが、例えば、炭酸ナトリウム又は炭酸カリウム等が挙げられる。（ｃ）成分は、酵素活性化の観点から、粉末洗浄剤組成物中に１０質量％以上、好ましくは１２質量％以上、より好ましくは１４質量％以上含有される。また、（ｃ）成分は、実洗濯場面での皮脂洗浄性能向上と酵素活性化の観点から、粉末洗浄剤組成物中に１０質量％以上、３０質量％以下、好ましくは１２質量％以上、２５質量％以下、より好ましくは１４質量％以上、２３質量％以下含有される。
【００１８】
（ｄ）成分
炭酸水素アルカリ金属塩（ｄ）としては、特に限定されるものではないが、例えば、炭酸水素ナトリウム又は炭酸水素カリウム等が挙げられる。（ｄ）成分は、粉末洗浄剤組成物中に１０質量％以上、好ましくは１２質量％以上、より好ましくは１４質量％以上含有される。また、（ｄ）成分は、粉末洗浄剤組成物中に１０質量％以上、４０質量％以下、好ましくは１２質量％以上、３０質量％以下、より好ましくは１４質量％以上、２５質量％以下含有される。
【００１９】
（ｅ）成分
本発明では、過炭酸塩としては、特に限定されるものではないが、例えば、過炭酸ナトリウム、過炭酸カリウム等が挙げられる。（ｅ）成分は、粉末洗浄剤組成物の安定性、漂白性能発現を両立させる観点から、粉末洗浄剤組成物中に０．１質量％以上、１０質量％以下、好ましくは１質量％以上、５質量％以下含有される事が好ましい。
【００２０】
〔（ｃ）＋（ｅ）〕／（ｄ）の質量比は、１／２以上、２／１以下である。ここで、過酸生成向上により漂白性能を発現させる観点から、好ましくは１／１．５以上、より好ましくは１／１以上、より好ましくは１．１／１以上である。また、過酸の解離状態を酸型にする事で漂白性能を向上させる観点から、好ましくは１．５／１以下、より好ましくは１．４／１以下、より好ましくは１．３／１以下である。また、過酸生成向上と過酸の解離状態を酸型にして漂白性能を向上させる観点から、好ましくは１／１．５以上、１．５／１以下、より好ましくは１／１以上、１．４／１以下、より好ましくは１．１／１以上、１．３／１以下である。洗濯液中での解離度が高い炭酸アルカリ金属塩、解離度が低い炭酸水素アルカリ金属塩を高配合かつ、特定比で含有させる事により、漂白活性化剤から生じる有機過酸の解離状態が漂白性能の高い酸型に変化する事で、本発明の粉末洗浄剤組成物は非常に高い漂白性能を発現することができると推定される。
【００２１】
（ｆ）成分
本発明では、下記一般式（１）で表される漂白活性化剤を含有する。
【００２２】
【化２】
2013213185.tif 000003
【００２３】
（式中、ＲはＨ、炭素数１〜１７を有するアルキル基またはアルケニル基、好ましくは線状または分枝アルキル基またはアルケニル基、炭素数３〜１８を有する環式アルキル基またはアルケニル基、アリール基、芳香族複素環基、２以上のアネレーテッドベンゼノイド環からなるポリアリーレン基および２以上のアリールまたはアリーレン置換基が共有結合されている基からなる群から選択され、そしてＬは脱離基であり、そしてＬ上に生成される陰イオンの共役酸は４〜１３の範囲内のｐＫａを有する。）
【００２４】
脱離基Ｌは、ペルオキシカルボン酸の陰イオンによる漂白剤活性剤上への求核攻撃の結果として漂白剤活性剤から置換される基であって、本質上、如何なる脱離基であっても用いることができる。この種の挙動を示す脱離基は、それらの共役酸が４〜１３の範囲内のｐＫａを有するものである。かかる漂白活性化剤としては、テトラアセチルエチレンジアミン等が挙げられる。
【００２５】
漂白活性化剤としては、高い過酸生成能の観点から、次の一般式（２）で表される漂白活性化剤がより好ましい。
【００２６】
【化３】
2013213185.tif 000004
【００２７】
〔式中、Ｒは７〜１５のアルキル基を示し、Ｙは−ＳＯ3Ｍ又は−ＣＯＯＭ（ここで、Ｍは水素原子又はアルカリ金属原子を示す）を示す。〕
【００２８】
一般式（２）中において、Ｒで示されるアルキル基、好ましくは直鎖アルキル基は、通常の洗浄条件において充分な溶解性を確保し、汚れ成分の充分な吸着力を付与するため、炭素数は７〜１５のものが好ましい。また、Ｍで示されるアルカリ金属原子としては、ナトリウム原子、カリウム原子を挙げることができる。
【００２９】
このような漂白活性化剤としては、下記式（３）で表されるものが特に好ましい。
【００３０】
【化４】
2013213185.tif 000005
【００３１】
[式中、Ｒは炭素数１１〜１５の直鎖アルキル基を示し、Ｍはナトリウム原子又はカリウム原子をあらわす]
【００３２】
このような式（３）で表される漂白活性化剤の具体例としては、ラウロイルオキシベンゼンスルホン酸ナトリウム及びノナノイルオキシベンゼンスルホン酸ナトリウム等が挙げられる。
【００３３】
（ｆ）成分は、漂白性能発現と、使用時の香り立ちを両立させる観点から、粉末洗浄剤組成物中に好ましくは０．１質量％、３質量％以下、より好ましくは０．２質量以上、２質量％以下、より好ましくは０．３質量％以上、１質量％以下、より好ましくは０．４質量％以上、０．８質量％以下含有される。
【００３４】
（その他成分）
本発明の粉末洗浄剤組成物には、脂肪酸アルカノールアミド、アルキルポリグリコシド等の非イオン界面活性剤、両性界面活性剤、陽イオン界面活性剤等のその他の界面活性剤を添加できる。
【００３５】
（ｇ）リン酸塩ビルダー
本発明の粉末洗浄剤組成物は、皮脂洗浄性能向上の観点から、リン酸塩ビルダー（ｇ）を一定の範囲で含有する。しかし、リン酸塩ビルダーの含有量は、特に過酸生成に悪影響を与えない観点から、洗浄剤組成物の０質量％以上、５質量％以下、好ましくは３質量％以下、より好ましくは１質量％以下、より好ましくは０質量％、即ち、含有しなくても良い。
【００３６】
リン酸塩ビルダーとしては、特に限定されるものではないが、例えば、トリポリリン酸塩、オルトリン酸塩、ピロリン酸塩等から選ばれる１種以上が挙げられる。全リン酸塩ビルダー中に占めるトリポリリン酸塩の量は８０〜９７質量％、オルトリン酸塩の量は１〜１０質量％、ピロリン酸塩の量は２〜１０質量％が好適である（量は無水物として計算）。また、対イオンとしては、アルカリ金属イオンが好ましく、特にナトリウムイオン及びカリウムイオンが好ましい。全対イオン中、ナトリウムイオン及びカリウムイオンの量は、７０質量％以上が好ましく、８５質量％以上がより好ましい。
【００３７】
カチオン交換型ポリマー
また、本発明の洗浄剤組成物には、金属イオン封鎖能や固体粒子汚れの分散能等の点で、カルボン酸基及び／又はスルホン酸基を有するカチオン交換型ポリマーを配合することが好適である。分子量が１千〜８万、好ましくは６万〜７万のアクリル酸−マレイン酸コポリマーの塩、ポリアクリル酸塩や特開昭５４−５２１９６号公報に記載の分子量が８百〜百万、好ましくは５千〜２０万のポリグリオキシル酸等のポリアセタールカルボン酸塩が挙げられる。該カチオン交換型ポリマーは、洗浄力の点から、好ましくは粉末洗浄剤組成物の０．１〜７質量％、より好ましくは０．３〜５質量％、特に好ましくは０．５〜３質量％含有される。
【００３８】
結晶性アルミノ珪酸塩
本発明の粉末洗浄剤組成物には、Ａ型、Ｘ型、Ｐ型ゼオライト等の結晶性アルミノ珪酸塩を含有できる。その平均一次粒子径は０．１〜１０μｍ、好ましくは１〜５μｍが好ましい。結晶性アルミノ珪酸塩の含有量は、洗浄力と酵素効果発現を両立させる観点から、粉末洗浄剤組成物の１０〜４０質量％が好ましく、１５〜３５質量％がより好ましく、２０〜３０質量％がより好ましい。結晶性アルミノ珪酸塩として好適なものは、Ａ型ゼオライト（例えば、商品名「トヨビルダー」：東ソー（株）製、ＪＩＳ  Ｋ  ５１０１法による吸油能：４０ｍＬ／１００ｇ以上）が好ましい。その他に、Ｐ型（例えば、商品名「Ｄｏｕｃｉｌ  Ａ２４」、「ＺＳＥＯ６４」等；いずれもCrosfield社製；吸油能６０〜１５０ｍＬ／１００ｇ）、Ｘ型（例えば、商品名「WessalithXD」；Degussa社製；吸油能８０〜１００ｍＬ／１００ｇ）、国際公開第９８４２６２２号記載のハイブリッドゼオライトも好適なものとして挙げられる。
【００３９】
また、洗浄剤粒子の流動性及び非ケーキング性の観点から、表面改質を行っても良い。表面被覆剤としては、例えば、ベントナイト、タルク、クレイ、金属石鹸、粉末の界面活性剤等の微粉体、カルボキシメチルセルロース、ポリエチレングリコール、ポリアクリル酸又はその塩、アクリル酸とマレイン酸のコポリマー又はその塩等のポリカルボン酸塩等の水溶性ポリマー、脂肪酸が挙げられる。
【００４０】
［ｐＨ］
本発明の粉末洗浄剤組成物を０．０１質量％氷酢酸水溶液を用いて調製した上記組成物の０．５質量％溶液の２５℃におけるｐＨは、９以上、１０．４以下、好ましくは９．４以上、１０．３以下、より好ましくは９．５以上、１０．２以下である。ｐＨがこの範囲内であれば、有機過酸発生率の向上、及び優れた漂白洗浄性能を発現することができる。
【００４１】
粉末洗浄剤組成物が用いられる実際の洗濯場面においては、洗濯水中に衣類の汗、皮脂等に由来する脂肪酸が存在し、洗浄ｐＨが低下しうる。そのため、脂肪酸が存在する洗濯水のモデルとして０．０１質量％氷酢酸水溶液を用いた組成物溶液において、上記のｐＨ範囲を取ることが漂白性能発現のための非常に重要な要素の一つである。
【００４２】
通常、漂白活性化剤と過酸化水素が反応する事で有機過酸が生成するが、過酸化水素はｐＨが高い領域でより活性化され、漂白活性化剤との反応性が向上して有機過酸が効率的に生成する。一方、生成した有機過酸はｐＨが低い領域で解離状態が酸型に変化し、汚れへの浸透性が向上する事で高い漂白性能を発現する。すなわち、有機過酸を効率的に生成させるためには高いｐＨが有効であり、生成した有機過酸がより高い漂白性能を発現するためには低いｐＨが有効である。このように、有機過酸の効率的な生成と、有機過酸による更に高い漂白性能発現の両立は極めて困難であった。
本発明においては、有機過酸の生成場面では（特定の）陰イオン界面活性剤を高配合する事で漂白活性化剤がバルク中に押し出され、過酸化水素との反応性が向上するために低いｐＨ領域でも有効に有機過酸を生成する事が出来る。その結果、有機過酸による漂白性能発現場面では、炭酸アルカリ金属塩、重炭酸塩を特定比で高配合する事によって低いｐＨを安定的に維持し、有機過酸が酸型に変化して高い漂白性能を発現することができる。なお、ｐＨは、（株）堀場製作所製ｐＨメータＦ５２、ｐＨ電極６３６７−Ｓ００４を用いて測定したものである。
【００４３】
［電気伝導度］
本発明の組成物の０．１質量％水溶液の２５℃における電気伝導度は、襟、袖の汚れに対する洗浄性能を発現させる観点から、０．２〜０．７５Ｓ／ｍが好ましく、０．３〜０．７Ｓ／ｍがより好ましく、０．３〜０．６５Ｓ／ｍであることがさらに好ましい。なお、電気伝導度は、東亜ディーケーケー（株）製のＣＭ−２１Ｐにより測定したものである。
【００４４】
電気伝導度の値は、組成物中に含有する塩の種類によって大きな影響を受ける。多価イオンを持つ塩は高い電気伝導度を示し、それと比較して、１価のイオンを有する塩は、電気伝導度に影響を与えにくい。多価イオンを持つ塩としては、硫酸マグネシウム、硫酸ナトリウム、炭酸カルシウム、炭酸マグネシウム等が挙げられ、１価のイオンを持つ塩としては、塩化ナトリウム、塩化カリウム等が挙げられる。本発明の洗浄剤組成物においては、電気伝導度を特定の範囲にする事で襟、袖の汚れに対する洗浄性能を向上させるため、上記に挙げた塩の含有量を調整することが重要である。
【００４５】
洗濯方法
本願発明は、上述した粉末洗浄剤組成物を含む洗濯水中で、被洗浄物の洗浄を行う工程を有するものであり、より具体的には、例えば洗濯機による洗濯又は手洗い洗濯、好ましくは洗浄剤使用濃度が高くなる手洗い洗濯を行う洗濯方法を包含する。また、本願発明は、上述した粉末洗浄剤組成物を含む洗濯水であって、電気伝導度が０．２Ｓ／ｍ以上、３．５Ｓ／ｍ以下である洗濯水中で、被洗浄物の洗浄を行う洗濯方法を包含する。
【００４６】
ここで、洗濯水の電気伝導度に関しては、例えば、０．３５〜３．５Ｓ／ｍ、更に０．８〜３．５Ｓ／ｍ、更に１．５〜３．５Ｓ／ｍのような洗剤の使用濃度が高く、電気伝導度がより高くなるような洗濯条件であっても、漂白活性化剤の性能を十分に発揮できている。
【００４７】
上述した実施形態に関し、本発明はさらに以下の組成物を開示する。
【００４８】
＜１＞  （ａ）陰イオン界面活性剤を１０質量％以上、好ましくは１５質量％以上含有され、より好ましくは２０質量％以上、より好ましくは２５質量％以上、４５質量％以下、好ましくは４０質量％以下、
（ｂ）非イオン界面活性剤を０質量％以上、９質量％以下、好ましくは７質量％以下、より好ましくは５質量％以下、より好ましくは３質量％以下、より好ましくは１質量％以下、さらに好ましくは０質量％
（ｃ）炭酸アルカリ金属塩を１０質量％以上、好ましくは１２質量％以上、より好ましくは１４質量％以上、３０質量％以下、好ましくは２５質量％以下、より好ましくは２３質量％以下、
（ｄ）炭酸水素アルカリ塩を１０質量％以上、好ましくは１２質量％以上、より好ましくは１４質量％以上、４０質量％以下、好ましくは３０質量％以下、より好ましくは２５質量％以下、
（ｅ）過炭酸塩を０．１質量％以上、好ましくは１質量％以上、１０質量％以下、好ましくは５質量％以下、及び
（ｆ）下記一般式（１）で表される漂白活性化剤を０．１質量％、好ましくは０．２質量以上、より好ましくは０．３質量％以上、より好ましくは０．４質量％以上、３質量％以下、好ましくは２質量％以下、より好ましくは１質量％以下、より好ましくは０．８質量％以下含有する粉末洗浄剤組成物であって、
（ｂ）／（ａ）の質量比が０／１以上、１／３以下であり、
〔（ｃ）＋（ｅ）〕／（ｄ）の質量比が１／２以上、２／１以下であり、
０．０１質量％氷酢酸水溶液を用いて調製した上記組成物の０．５質量％溶液の２５℃におけるｐＨが９以上、好ましくは９．４以上、より好ましくは９．５以上、１０．４以下、好ましくは１０．３以下、より好ましくは１０．２以下である粉末洗浄剤組成物。
【００４９】
【化５】
2013213185.tif 000006
【００５０】
（式中、ＲはＨ、炭素数１〜１７を有するアルキル基またはアルケニル基、アリール基、芳香族複素環基、２以上のアネレーテッドベンゼノイド環からなるポリアリーレン基および２以上のアリールまたはアリーレン置換基が共有結合されている基からなる群から選択され、そしてＬは脱離基であり、そしてＬ上に生成される陰イオンの共役酸は４〜１３の範囲内のｐＫａを有する。）
【００５１】
＜２＞  （ｃ）／（ｄ）の質量比が１／３以上、２／１以下である、＜１＞記載の粉末洗浄剤組成物。
＜３＞  （ａ）成分が、アルキル鎖の炭素数が１０〜１８の直鎖アルキルベンゼンスルホン酸塩及びアルキル鎖の炭素数が１０〜１８の高級アルコールの硫酸エステル塩からなる群より選択される１種以上の成分である、＜１＞又は＜２＞記載の粉末洗浄剤組成物。
＜４＞  （ｂ）成分が、炭素数が１０〜１６、好ましくは１２〜１４のアルコールにエチレンオキシドを平均１〜２５モル、好ましくは１０〜２０モル付加した化合物である、＜１＞〜＜３＞の何れか１記載の粉末洗浄剤組成物。
＜５＞  （ｆ）成分が、下記一般式（２）で表される漂白活性化剤である、＜１＞〜＜４＞の何れか１記載の粉末洗浄剤組成物。
【００５２】
【化６】
2013213185.tif 000007
【００５３】
〔式中、Ｒは７〜１５のアルキル基を示し、Ｙは−ＳＯ3Ｍ又は−ＣＯＯＭ（ここで、Ｍは水素原子又はアルカリ金属原子を示す）を示す。〕
＜６＞  （ｂ）／（ａ）の質量比が０／１以上、１／５以下、好ましくは１／６．７以下、より好ましくは１／１０以下である、＜１＞〜＜５＞の何れか１記載の粉末洗浄剤組成物。
＜７＞  〔（ｃ）＋（ｅ）〕／（ｄ）の質量比が１／１．５以上、好ましくは１／１以上、より好ましくは１．１／１以上、１．５／１以下、好ましくは１．４／１以下、より好ましくは１．３／１以下である、＜１＞〜＜６＞の何れか１記載の粉末洗浄剤組成物。
＜８＞  更に、（ｇ）リン酸塩ビルダー、好ましくはトリポリリン酸塩、オルトリン酸塩、ピロリン酸塩等から選ばれる１種以上のリン酸塩ビルダーを０質量％以上、５質量％以下、好ましくは３質量％以下、より好ましくは１質量％以下、より好ましくは０質量％を含有する、＜１＞〜＜７＞の何れか１記載の粉末洗浄剤組成物。
【実施例】
【００５４】
以下、本発明の態様を実施例によりさらに記載し、開示する。かかる実施例は単なる本発明の例示であり、何ら限定を意味するものではない。
【００５５】
＜実施例１＞
表１に示す実施例１の成分のうち、炭酸ナトリウム８．８４ｋｇ、蛍光増白剤０．０７ｋｇをレディゲミキサーＦＫＭ−１３０Ｄ（（株）マツボー製）を用いて攪拌羽根を周速３．４ｍ／ｓ、剪断機周速２７ｍ／ｓで１分間混合した。同条件でミキサーを作動させながら、直鎖アルキル（炭素数１２〜１４）ベンゼンスルホン酸７．９８ｋｇ（含水率０．５質量％、硫酸分１％）と硫酸の混合物を４分間で加え、更に５分間作動させて中和反応を行った。次に、同条件でミキサーを作動させながら、非イオン界面活性剤２．８ｋｇ、ゼオライト２．４５ｋｇを加え、２分間作動させて造粒を行った。
【００５６】
次いで、同条件でミキサーを作動させながら、ゼオライト１．７５ｋｇを加え、ポリエチレングリコール（ＰＥＧ１３０００）０．１７５ｋｇ、アクリル酸マレイン酸コポリマー（ＡＡ／ＭＡコポリマー）の４０質量％水溶液０．８７５ｋｇ、２号シリケート２．６２５ｋｇを１分間で加え、更に２分間作動させて造粒を行った。続いてゼオライト１．７５ｋｇを加え、更に２分間作動させて表面改質処理を行い、２０００μｍの篩を通過させ、粉末洗浄剤粒子を得た。次に、回転ドラムを用いて、前記洗浄剤粒子に残りのゼオライト１．７５ｋｇ、酵素０．７ｋｇ、漂白活性化剤０．１７５ｋｇ、ＰＣ１．０５ｋｇ、硫酸ナトリウム２．２ｋｇ、炭酸水素ナトリウム５．２５ｋｇを混合して表１に示す最終組成の粉末洗浄剤組成物３５Ｋｇを得た。
【００５７】
＜実施例２〜１２＞
表１に示す実施例２〜１２の成分のうち、組成物中のゼオライトの８質量％分、炭酸ナトリウム（又は炭酸カリウム）の４質量％分、炭酸水素ナトリウム（又は炭酸水素カリウム）及び酵素を除いた成分から、スラリーを調製し、噴霧乾燥して噴霧乾燥組成物を得た。これに組成物中のゼオライトの５質量％分及び炭酸水素ナトリウム（又は炭酸水素カリウム）の４質量％分をリボンミキサーに投入して混合を行った。得られた混合物を前押し出し式２軸型押し出し造粒機（ペレッターダブル：不二パウダル（株）製）で直径が１０ｍｍの円柱状に押し出し成形して圧密化した。得られたペレット状物を、全洗浄剤組成物中ゼオライト２質量％とともにフラッシュミル（不二パウダル（株）製）で粉砕造粒して表面被覆を行い、２０００μｍの篩を通過させ、高嵩密度洗浄剤粒子を得た。この後、Ｖブレンダーに移し、残りの組成物中のゼオライト、炭酸ナトリウム（又は炭酸カリウム）、炭酸水素ナトリウム（又は炭酸水素カリウム）、酵素、ＰＣ、漂白活性化剤、リン酸塩ビルダーを混合して粉末洗浄剤組成物を得た。
【００５８】
＜比較例１〜５＞
実施例２〜１２と同様にして、表１の組成の粉末洗浄剤組成物を得た。
【００５９】
［ｐＨの測定］
粉末洗浄剤組成物の０．５質量％溶液を０．０１質量％氷酢酸水溶液を用いて調製し、その２５℃のｐＨを、（株）堀場製作所製ｐＨメータＦ５２、ｐＨ電極６３６７−Ｓ００４を用いて測定した。氷酢酸水溶液の作製に用いた水は、蒸留水（和光純薬製）である。
【００６０】
＜性能評価＞
実施例及び比較例で得られた粉末洗浄剤組成物について、以下の評価を行った。結果を表１に示す。
【００６１】
漂白活性化剤からの有機過酸の発生率を以下の方法により評価した。その結果を表１に示す。
【００６２】
＜有機過酸発生率評価法＞
２５℃のイオン交換水１０００ｍＬ中に粉末洗浄剤組成物４ｇ（浸漬洗浄時使用量相当）を添加し、撹拌して試験液を調製した。３０分後に試験液に１質量％カタラーゼ溶液を１．５ｍＬ添加し、さらに３分攪拌した後、２０質量％硫酸水溶液を１０ｍＬ添加し、ヨードメトリー法に従い有機過酸量を滴定し、下式によって有機過酸の発生率を求めた。
【００６３】
有機過酸発生率（％）＝（有機過酸発生量（μＭ）／漂白活性化剤含有量（μＭ））×１００
【００６４】
＜漂白性能の評価法＞
粉末洗浄剤組成物１ｇと４°ＤＨに調整した水１０００ｍＬを混合した後、そこに以下の方法で調製したミートソース汚染布（４枚）を入れ、ターゴトメータを用いて２０℃、８０ｒｐｍで１０分間漂白処理を行った。処理前後の布表面の反射率を測定し、下式(II)により漂白率を求めた。
【００６５】
【数１】
2013213185.tif 000008
【００６６】
・ミートソース汚染布の調製
カゴメ（株）製ミートソース（完熟トマトのミートソース（２０１２年５月２７日賞味期限、ロット番号：Ｄ０５２７ＪＦ）／内容量２５９ｇの缶詰）の固形分をメッシュ（目の開き；５００μｍ）で除去した後、得られた液を煮沸するまで加熱した。この液に木綿金布＃２００３を浸し、１５分間煮沸した。そのまま火からおろし２時間程度放置し３０℃まで放置した後、布を取りだし、余分に付着している液をヘラで除去し、自然乾燥させた。その後プレスし、１０×１０ｃｍの試験布として実験に供した。
【００６７】
布表面の反射率の測定は、（株）日本電色工業社製、Spectro Color Meterを用い、汚染布４枚を重ねた状態で波長４６０ｎｍの反射率を測定する事により行った。
【００６８】
【表１】
2013213185.tif 000009
【００６９】
ここで、漂白活性化剤Ａとしてはテトラアセチルエチレンジアミン(TAED)を、漂白活性化剤Ｂとしてラウロイルオキシベンゼンスルホン酸ナトリウムを用いた。漂白活性化剤Ｃとしてはノナノイルオキシベンゼンスルホン酸ナトリウムを用いた。さらに、ＬＡＳ−Ｎａは直鎖アルキル（炭素数１２〜１４）ベンゼンスルホン酸ナトリウム、ＡＳ−Ｎａはアルキル（炭素数１２〜１６）硫酸ナトリウムである。非イオン界面活性剤はポリオキシエチレン（ＥＯ平均付加モル数７）アルキル（炭素数１２〜１４）エーテル、ＡＡ／ＭＡコポリマーはアクリル酸−マレイン酸コポリマーのナトリウム塩（７０モル％中和）であり、モノマー比はアクリル酸／マレイン酸＝３／７（モル比）、平均分子量７００００である。蛍光増白剤はチノパールＣＢＳ−ＸとチノパールＡＭＳ−ＧＸ（チバスペシャリティケミカルス社製）の質量比１／１混合物を用いた。ゼオライトは４Ａ型ゼオライト、平均粒子径３μｍ（東ソー（株）製）を用いた。酵素は、セルラーゼＫ（特開昭６３−２６４６９９号公報記載のもの）とリポラーゼ１００Ｔ（ノボ社製）とを３：１の質量比で混合したものを用いた。ＰＣは、特開昭５９−１９６３９９号公報の実施例１に基づいてメタホウ酸ナトリウム・４水和物を過炭酸ナトリウムに対して５質量％被覆したものを１２５μｍの篩で小粒子径のものを除去したものを用いた。２号シリケートは、ケイ酸ナトリウム（４３質量％）（TOKUYAMA SIAM SILICA CO. LTD.製）を用いた。ＰＥＧは、ＰＥＧ13000−Ｌ６０（三井化学製）を用いた。リン酸塩ビルダーは、トリポリリン酸ナトリウム（Thai polyphosphate & Chemicals Co., Ltd.製）であった。
【００７０】
表１の実施例の結果から、本発明品の粉末洗浄剤組成物は漂白性能に優れていることが分かった。
【００７１】
一方、比較例の粉末洗浄剤組成物は、実施例のものよりも漂白性能が明らかに劣っていた。比較例１では、有機過酸発生率は実施例のそれと同程度であったが、漂白性能としては劣っていた。これは、（ｄ）成分が過少であったため、解離型の有機過酸の存在率が高いからであると考えられる。さらに比較例２では、有機過酸発生率及び漂白性能の両方が実施例のそれよりも劣っていた。これは、（ｃ）成分が過少であったため、有機過酸発生率が著しく低下してしまったからであると考えられる。さらに比較例４では（ｃ）成分及び（ｄ）成分が過少であったため、有機過酸発生率及び漂白性能の両方が実施例のそれよりも劣っていた。
【００７２】
比較例３においては、（ａ）成分に比べて（ｂ）成分の量が過剰であったため、有機過酸発生率及び漂白性能の両方が実施例のそれよりも劣っていた。比較例５においては、（ａ）成分の量が過少であったため、有機過酸発生率及び漂白性能の両方が実施例のそれよりも劣っていた。
【産業上の利用可能性】
【００７３】
本発明の粉末洗浄剤組成物は、衣料品の洗濯に利用することができる。